(57)【要約】【課題】シリンダの気密性を高く保つことが出来ると共に、移し変えも容易で、かつ使用感も良好なリング体を提供することのできる陰茎勃起補助器具を提供する。【解決手段】本発明の陰茎勃起補助器具は、一端に挿入口が、他端に排気口が設けられる円筒状の容器と、容器の挿入口にその外周縁が弾力的かつ着脱可能に嵌着され、その中心孔が容器内へ突入するよう構成されたリング体とを備え、リング体の中心孔に陰茎を挿入し、陰茎の根本をリング体により環装した状態で排気口から容器内の空気を吸引し減圧することで陰茎を締め上げて鬱血させて勃起させるようにした陰茎勃起補助器具において、リング体は、少なくとも３層の弾性部材を重ね合わせて構成され、外周縁においては互いに接着されて延在し、容器内への突入部においては隣接する弾性部材同士が離隔して延在し、先端において隣接する弾性部材同士が互いに接触するよう構成されている。【選択図】      図１
2019084308.tif 000002
【特許請求の範囲】
【請求項１】
一端に挿入口が、他端に排気口が設けられる円筒状の容器と、
前記容器の前記挿入口にその外周縁が弾力的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項２】
一端に挿入口が、他端に排気口が設けられる円筒状の容器と、
前記容器の内壁面に密着して延在し、前記一端に於いて折り返えされて前記容器の外周縁に密着して延在し、前記容器内に位置する所望の部位に先端に磁石を含む複数の弾性部材の突起が形成されたインナーパッキンと、
前記容器の前記挿入口に前記インナーパッキンを介してその外周縁が弾力的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項３】
一端に挿入口が、他端に排気口が設けられ、円筒の所定部位に外壁から内壁へ貫通する通気口が設けられた筒状の容器と、
前記容器の内壁面に密着して延在し、前記一端と前記他端とに於いて外側に折り返えされて前記容器の外周縁に密着して延在する弾性部材からなるインナーパッキンと、
前記容器の前記他端を前記インナーパッキンの外側への折り返し部位を介して密閉する前記排気口が設けられた樹脂性の蓋と、
前記容器の前記挿入口に前記インナーパッキンを介してその外周縁が弾性的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項４】
前記リング体は、前記陰茎を締め上げる先端に複数個の凹凸が形成されていることを特徴とする請求項１乃至３のいずれかに記載の陰茎勃起補助器具。
【請求項５】
前記リング体は、前記容器内への突出部において隣接する弾性部材同士が不規則間隔で離隔して延在することを特徴とする請求項１乃至３のいずれかに記載の陰茎勃起補助器具。
【請求項６】
前記弾性部材がシリコーン樹脂又はエラストマーであることを特徴とする請求項１乃至３のいずれかに記載の陰茎勃起補助器具。
【請求項７】
前記容器は透明な樹脂で作製され、曇り防止加工がされていることを特徴とする請求項１乃至３のいずれかに記載の陰茎勃起補助器具。
【発明の詳細な説明】
【技術分野】
【０００１】
本発明は、加齢、心因性または糖尿病などの疾患による男性性器の勃起不全（ＥＤ：Erectile Dysfunction）の治療のために使用される陰茎勃起補助器具に関する。
【背景技術】
【０００２】
勃起は、陰茎に流入する血流量が増加し、同時に陰茎からの血液流出が制限されることにより生じる。この生理現象は、陰茎の神経血管系、特に海綿体平滑筋の収縮弛緩によって制御されている。
加齢に伴うＥＤの原因は、内皮細胞障害による生体内でのＮＯ（nitric oxide）依存性弛緩反応の低下であるといわれている。
【０００３】
糖尿病はＥＤのリスクが高い疾患である。現在、糖尿病の男性患者の約５０〜７５％がＥＤであることが報告されている。
インスリンは海綿体平滑筋の弛緩に寄与するＬ‐アルギニンの細胞内への取り込みを促進させ、ＮＯは生体内でＮＯ合成酵素（nitric oxide synthase：ＮＯＳ）の作用によりＬ−アルギニンから生成される。
したがって糖尿病によるインスリン欠乏またはインスリン抵抗性が増大すると、弛緩反応に負に働く。
また、慢性腎不全患者の２０〜５０％が性機能障害を訴えており、透析患者では約４５％がＥＤに罹患しているといわれている。
【０００４】
これらの加齢、心因性または糖尿病などの疾患によるＥＤの治療を目的として陰茎勃起補助器具が使用されている。
陰茎勃起補助器具を使用して陰茎の勃起と委縮とを繰り返すことにより、海綿体平滑筋の収縮弛緩機能の回復を計ったり、勃起した陰茎の海綿体平滑筋に薬材を注入して治療を行うことが行なわれている。この種の陰茎勃起補助器具は、各種のものが提供されているが、その基本的な構造は、円筒状のシリンダの一端を開放し、他端に設置した連結管からシリンダ内部の空気を外部へ排出できるようにし、開放部からシリンダ内部へ委縮した陰茎を挿入し、開放部に設置したゴム製バンド等によって、陰茎の根本を圧迫するとともに、ポンプを使ってシリンダ内の空気を外部へ排出することによりシリンダ内に負圧を発生させ、海綿体組織内の血管に血液を強制的に誘引し、拡充した血管によって勃起された陰茎の一部を締め付けて血液の環流を防ぎ、勃起状態を維持させるように構成されている。
このような従来の陰茎勃起補助器具としては、特許文献１〜３に記載されたものが知られている。
【先行技術文献】
【特許文献】
【０００５】
【特許文献１】特許公報第３，０６０，０００号
【特許文献２】特開２０００−３５０７４１
【特許文献３】登録実用新案公報第３，０１７，３６０号
【０００６】
特許文献１に記載されている補助器具は、シリンダの開放端に陰茎を挿入し、その開放端を陰茎根本部周辺の身体部位に押し当てて密閉し、シリンダ内を負圧にするものであるが、必ずしも十分にシリンダを密閉できず、気密性が悪いという問題がある。
特許文献２に記載されている補助器具は、勃起度に応じて勃起した陰茎の根本を適当な締め付け強さで締め付けることができるが、構造が複雑で、しかも陰茎を締め付けたリング体とシリンダとの分離が必ずしも容易ではないという問題がある。
【０００７】
さらに特許文献３に記載されている補助器具は、血液集中が十分な状態に達した時点で、締め上げリングとシリンダとの係合を解き、締め上げリングを陰茎の根本に密着させて締め上げ、必要な時間だけこの装着を維持するものである。
しかし、締め上げリングをシリンダに係合させた状態でシリンダの開放端を陰茎根本周辺部周辺の身体部位に押し当てたときに、シリンダの気密性が十分に保たれるという保証はない。
【発明の概要】
【発明が解決しようとする課題】
【０００８】
本発明は、上述した従来の問題点を解決するためになされたもので、陰茎の締め付けリングを円筒状のシリンダに係合させてシリンダ内に負圧を発生させて陰茎を勃起させた後に、締め付けリングを陰茎の根元へ移し変えるのに用いられる陰茎勃起補助器具において、シリンダの気密性を高く保つことが出来ると共に、移し変えも容易で、かつ使用感も良好なリング体を提供することのできる陰茎勃起補助器具を提供することを目的とする。
【課題を解決するための手段】
【０００９】
上記目的を達成するための、請求項１に記載の発明では、一端に挿入口が、他端に排気口が設けられる円筒状の容器と、容器の挿入口にその外周縁が弾力的かつ着脱可能に嵌着され、その中心孔が容器内へ突入するよう構成されたリング体とを備え、リング体の中心孔に陰茎を挿入し、陰茎の根本をリング体により環装した状態で排気口から容器内の空気を吸引し減圧することで陰茎を締め上げて鬱血させて勃起させるようにした陰茎勃起補助器具において、リング体は、少なくとも３層の弾性部材を重ね合わせて構成され、外周縁においては互いに接着されて延在し、容器内への突入部においては隣接する弾性部材同士が離隔して延在し、先端において隣接する弾性部材同士が互いに接触するよう構成されていることを特徴とする。
【００１０】
請求項２に記載の発明では、一端に挿入口が、他端に排気口が設けられる円筒状の容器と、容器の内壁面に密着して延在し、一端に於いて折り返えされて容器の外周縁に密着して延在し、容器内に位置する所望の部位に先端に磁石を含む複数の弾性部材の突起が形成されたインナーパッキンと、容器の挿入口にインナーパッキンを介してその外周縁が弾力的かつ着脱可能に嵌着され、その中心孔が容器内へ突入するよう構成されたリング体とを備え、リング体の中心孔に陰茎を挿入し、陰茎の根本をリング体により環装した状態で排気口から容器内の空気を吸引し減圧することで陰茎を締め上げて鬱血させて勃起させるようにした陰茎勃起補助器具において、リング体は、少なくとも３層の弾性部材を重ね合わせて構成され、外周縁においては互いに接着されて延在し、容器内への突入部においては隣接する弾性部材同士が離隔して延在し、先端において隣接する弾性部材同士が互いに接触するよう構成されていることを特徴とする。
【００１１】
請求項３に記載の発明では、一端に挿入口が、他端に排気口が設けられ、円筒の所定部位に外壁から内壁へ貫通する通気口が設けられた筒状の容器と、容器の内壁面に密着して延在し、一端と他端とに於いて外側に折り返えされて容器の外周縁に密着して延在する弾性部材からなるインナーパッキンと、容器の他端をインナーパッキンの外側への折り返し部位を介して密閉する排気口が設けられた樹脂性の蓋と、容器の挿入口にインナーパッキンを介してその外周縁が弾性的かつ着脱可能に嵌着され、その中心孔が容器内へ突入するよう構成されたリング体とを備え、リング体の中心孔に陰茎を挿入し、陰茎の根本をリング体により環装した状態で排気口から容器内の空気を吸引し減圧することで陰茎を締め上げて鬱血させて勃起させるようにした陰茎勃起補助器具において、リング体は、少なくとも３層の弾性部材を重ね合わせて構成され、外周縁においては互いに接着されて延在し、容器内への突入部においては隣接する弾性部材同士が離隔して延在し、先端において隣接する弾性部材同士が互いに接触するよう構成されていることを特徴とする。
【００１２】
請求項４に記載の発明では、請求項１乃至３のいずれかの記載の構造に加え、リング体は、陰茎を締め上げる先端に複数個の凹凸が形成されていることを特徴とする。
請求項５に記載の発明では、請求項１乃至３のいずれかの記載の構造に加え、リング体は、容器内への突出部において隣接する弾性部材同士が不規則間隔で離隔して延在することを特徴とする。
請求項６に記載の発明では、請求項１乃至３のいずれかの記載の構造に加え、弾性部材がシリコーン樹脂又はエラストマーであることを特徴とする。
請求項７に記載の発明では、請求項１乃至３のいずれかの記載の構造に加え、容器は透明な樹脂で作製され、曇り防止加工がされていることを特徴とする。
【発明の効果】
【００１３】
本発明では、リング体が少なくとも３層の弾性部材を重ね合わせて構成され、容器内への突入部において隣接する弾性部材同士が離隔して延在し、先端において隣接する弾性部材同士が互いに接触するようになっている。
従って、少なくとも３つの圧力隔壁により差圧を分割して、陰茎を締め上げるので、気密性も高く保つことができ、しかも使用感の良好なリング体を提供することのできる陰茎勃起補助器具を提供することができる。
【図面の簡単な説明】
【００１４】
【図１】本発明の陰茎勃起補助器具に使用されるリング体の実施例を示す図でＡはその断面図、Ｂはその斜視図。
【図２】本発明の陰茎勃起補助器具の一実施例を示す断面構造図。
【図３】本発明の陰茎勃起補助器具の他の実施例を示す断面構造図。
【図４】本発明の陰茎勃起補助器具の更に他の実施例を示す断面構造図。
【図５】従来の陰茎勃起補助器具の一例を示す断面構造図で、Ａは全体断面構造図、Ｂはリング体の斜視図。
【発明を実施するための形態】
【００１５】
以下、本発明の陰茎勃起補助器具の具体的な実施の形態を図１〜図４に基づいて説明する。
図１は、本発明の陰茎勃起補助器具に使用されるリング体の実施例を示す図で、Ａはその断面図、Ｂはその斜視図を示す。
このリング体１０は、少なくとも３層の弾性部材１１，１２，１３を重ね合わせて構成されている。
リング体１０は、その外周縁１４においては隣接する弾性部材同士１１と１２、１２と１３が互いに接着されて延在するように構成されている。
【００１６】
このリング体１０は、円筒状の容器２０の挿入口に外周縁１４が着脱可能に嵌着され、その中心孔１５は容器２０内へ突入するように構成されている。突入部においては、隣接する弾性部材同士１１と１２、１２と１３は離隔して延在している。そして、これらの弾性部材１１，１２，１３は陰茎を締め上げる先端において互いに接触するように構成されている。なお、先端に複数個の凹凸を形成してもよく、このようにすれば陰茎と弾性部材１１，１２，１３との密着性がより強固となる。
また、容器２０内への突出部において隣接する弾性部材同士は、不規則間隔で離隔して延在するようにしておくのが良い。このように構成すると、弾性部材１１と１２の間及び１２と１３との間に空間が構成され、弾性部材１１，１２，１３による３つの圧力隔壁によって容器２０の内部と外部との差圧が３分割されるようになる。
【００１７】
即ち吸引され減圧された容器２０内の気圧をＰ１、弾性部材１１と１２との間の空間の気圧をＰ２、弾性部材１２と１３との間の空間の気圧をＰ３、弾性部材１３の外の空間の気圧をＰ４とすると、Ｐ４＞Ｐ３＞Ｐ２＞Ｐ１の関係が成立し、これは容器２０の内外の圧力差（差圧）が３分割されて各弾性部材１１，１２，１３に印加されていることを意味する。これにより、弾性部材１１，１２，１３の１枚当たりの隔壁を薄くできるため、中心孔１５から陰茎を挿入し易くなる。また、３つの隔壁により、容器２０を体に押し付けたときの陰毛などのパッキン疎外要素を分断できるため、容器２０内の真空気密性が高まる。
【００１８】
さらに弾性部材１１，１２，１３の１枚当たりの膜厚（隔壁厚）を薄くできるため陰茎挿入孔である中心孔１５を小さくでき、これにより初期減圧の効率を向上させることができる。
なお、陰茎挿入孔をより小さくするためには、弾性部材の膜厚をより薄くすると共に真空気密性を向上させるために４層又は５層構造にすればよい。
【００１９】
図５に示すような従来の陰茎勃起補助器具及びリング体を使用する場合には、通常はある程度の勃起状態を作ってから使用する必要があったが、本発明に係るリング体では、挿入孔の径を小さくできるので、陰茎が勃起していない状態からでも吸引により容器内に陰茎を引き込めるので、勃起状態を予め作る必要はない。ちなみに、本発明に係るリング体では挿入孔の最小径を１０ｍｍ以下にすることも可能である。
なお、弾性部材としては、弾力性があり伸縮が自在な材料であれば良く、シリコーン樹脂や熱硬化性エラストマー又は熱可塑性エラストマーを用いることができる。
【００２０】
次に図１に示したリング体１０を備えた本発明の実施例に係る陰茎勃起補助器具について説明する。
図２は、本発明の陰茎勃起補助器具の一実施例を示す断面構造図である。
まず、一端にリング体１０の挿入口２２が、他端に排気口２４が設けられた円筒状の容器２０が用意される。容器２０の一端の挿入口２２に、図１で説明したリング体１０がその外周縁１４が弾力的かつ着脱可能に嵌着される。
【００２１】
リング体１０はその中心孔１５が容器２０内へ突入するように容器２０に取付けられる。即ち、リング体１０の外周縁１４は容器２０の外壁へ、リング体１０の容器２０への突入部は、容器２０の内壁へ接触するように容器２０へ取付けられる。
容器２０を透明な樹脂で作製し、かつ内壁及び外壁面を曇り防止加工しておくと、中心孔１５から挿入された陰茎の容器２０内での状態を確認し易く、安全に使用できる。また視認性が高まることにより、目からの刺激を受け男性ホルモンの分泌が活発となり中枢性勃起を誘発する。
【００２２】
リング体１０を容器２０に取付け、その中心孔１５から陰茎を挿入し、その根本でリング体１０を環装した状態で、少なくとも３層の弾性部材１１，１２，１３の先端部で陰茎を支えた状態で、排気口２４から容器２０内の空気を吸引して容器２０内を減圧する。すると、弾性部材１１，１２，１３の先端部で支えられた陰茎がその根本で締め上げられて鬱血し、勃起する。勃起後に容器２０をリング体１０から分離しても、リング体１０は勃起した陰茎に気密を保ってしっかりと密着しているため、勃起状態は所定時間持続する。この間に、陰茎に対して薬材の注入等の治療を行うことができる。
【００２３】
図３は、本発明の陰茎勃起補助器具の他の実施例を示す断面構造図である。
図２に示す実施例と異なる点は、インナーパッキン３０を介してリング体３０を容器２０に嵌着した点である。インナーパッキンン３０は容器２０の内壁面に密着して延在し、一端２２に於いて折り返えされて容器２０の外周縁に密着して延在するように容器２０に取付けられている。そして容器２０内に位置する所望の部位に先端にネオジウムなどの磁石３２を含む複数の弾性部材の突起３４が形成されている。
【００２４】
このような構成を採用するとリング体１０の中心孔１５から挿入された陰茎の亀頭に突起３４の先端が軽くふれることにより刺激を与え、磁石３２による磁気の効果で、磁気のあたっている部分で血管拡張物質が増加し、その結果、血管拡張・血流増加が起こるため、勃起が急速に達成されるという効果がある。
【００２５】
図４は、本発明の陰茎勃起補助器具の更に他の実施例を示す断面構造図である。本実施例では、筒状の円筒容器２０ａが用いられる。円筒の所定部位には外壁から内壁へ貫通する通気口２６が設けられている。
図３に示した実施例と同様に弾性部材からなるインナーパッキン３０ａが用いられるが、本実施例のインナーパッキン３０ａは、容器２０ａの内壁面に密着して延在し、容器２０ａの両端に於いて外側に折り返えされて容器２０ａの外周縁に密着して延在するように容器２０ａに取付けられている。
【００２６】
容器２０ａの一端には、挿入口２２にインナーパッキン３０ａを介してその外周縁が弾性的かつ着脱可能に嵌着され、その中心孔１５が容器２０ａ内へ突入するよう構成されたリング体１０が取付けられている。
また、容器２０ａの他端にはインナーパッキン３０ａの外側への折り返し部位を介して密閉する樹脂性の蓋４０が設けられており、蓋４０には排気口４４が設けられている。
【００２７】
このような構造を有する陰茎勃起補助器具を用いる場合、リング体１０の中心孔１５に陰茎を挿入し、陰茎の根本をリング体１０により環装した状態で排気口４４から容器２０ａ内の空気を吸引し減圧すると、通気口２６を介して内外気圧差によりインナーパッキン３０ａが図４に鎖線で示すように容器２０ａ内にたわみ、この結果、挿入された陰茎を圧迫して刺激する。これにより勃起が急速に達成される。
なお、インナーパッキン３０ａに、図３に示したような突起を形成しておくことも可能である。
【符号の説明】
【００２８】
１０：リング体
１１，１２，１３：弾性部材
１４：外周縁
２０，２０ａ：容器
２４，４４：排気口
２６：通気口
３０，３０ａ：インナーパッキン
４０：蓋
【図１】
2019084308.tif 000003
【図２】
2019084308.tif 000004
【図３】
2019084308.tif 000005
【図４】
2019084308.tif 000006
【図５】
2019084308.tif 000007
【手続補正書】
【提出日】平成29年12月13日(2017.12.13)
【手続補正１】
【補正対象書類名】特許請求の範囲
【補正対象項目名】全文
【補正方法】変更
【補正の内容】
【特許請求の範囲】
【請求項１】
一端に挿入口が、他端に排気口が設けられる円筒状の容器と、
前記容器の前記挿入口にその外周縁が弾力的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項２】
一端に挿入口が、他端に排気口が設けられる円筒状の容器と、
前記容器の内壁面に密着して延在し、前記一端に於いて折り返えされて前記容器の外周縁に密着して延在し、前記容器内に位置する所望の部位に先端に磁石を含む複数の弾性部材の突起が形成されたインナーパッキンと、
前記容器の前記挿入口に前記インナーパッキンを介してその外周縁が弾力的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項３】
一端に挿入口が、他端に排気口が設けられ、円筒の所定部位に外壁から内壁へ貫通する通気口が設けられた筒状の容器と、
前記容器の内壁面に密着して延在し、前記一端と前記他端とに於いて外側に折り返えされて前記容器の外周縁に密着して延在する弾性部材からなるインナーパッキンと、
前記容器の前記他端を前記インナーパッキンの外側への折り返し部位を介して密閉する前記排気口が設けられた樹脂性の蓋と、
前記容器の前記挿入口に前記インナーパッキンを介してその外周縁が弾性的かつ着脱可能に嵌着され、その中心孔が前記容器内へ突入するよう構成されたリング体とを備え、
前記リング体の前記中心孔に陰茎を挿入し、前記陰茎の根本を前記リング体により環装した状態で前記排気口から前記容器内の空気を吸引し減圧することで前記陰茎を締め上げて鬱血させて勃起させるようにした陰茎勃起補助器具において、
前記リング体は、少なくとも３層の弾性部材を重ね合わせて構成され、
前記外周縁においては互いに接着されて延在し、前記容器内への突入部においては隣接する弾性部材同士が離隔して延在し、先端において隣接する弾性部材同士が互いに接触するよう構成されていることを特徴とする陰茎勃起補助器具。
【請求項４】
前記リング体は、前記陰茎を締め上げる先端に複数個の凹凸が形成されていることを特徴とする請求項１乃至３のいずれかに記載の陰茎勃起補助器具。
【請求項５】
前記リング体は、前記容器内への前記突入部において隣接する弾性部材同士が不規則間隔で離隔して延在することを特徴とする請求項１乃至３のいずれかに記載の陰茎勃起補助器具。
【請求項６】
前記弾性部材がシリコーン樹脂又はエラストマーであることを特徴とする請求項１乃至３のいずれかに記載の陰茎勃起補助器具。
【請求項７】
前記容器は透明な樹脂で作製され、曇り防止加工がされていることを特徴とする請求項１乃至３のいずれかに記載の陰茎勃起補助器具。